(57)【要約】      （修正有）【課題】体積の減少に有利な微細気泡液体生成装置を提供する。【解決手段】液体導入管１１０と、ガス供給ユニット１２０と、加圧ポンプ１３０と、巻き取り型混合管１４０と、圧力解放分散器１５０とを含む微細気泡液体生成装置１００であって、液体導入管は液体を提供するためのものであり、ガス供給ユニットはガスを提供するためのものである。加圧ポンプは、入口端１３１と出口端１３２とを含み、液体導入管及びガス供給ユニットと加圧ポンプの入口端とが接続される。巻き取り型混合管は、第１の端部１４１と第２の端部１４２とを含み、巻き取り型混合管の第１の端部と加圧ポンプの出口端とが接続される。圧力解放分散器と巻き取り型混合管の第２の端部とが接続されており、圧力解放分散器は、貫通孔と分散構造とを含み、貫通孔が巻き取り型混合管と連通し、かつ分散構造が貫通孔に対応する。【選択図】図１
0003224447.tif 000002
【実用新案登録請求の範囲】
【請求項１】
液体を提供するための液体導入管と、
ガスを提供するためのガス供給ユニットと、
入口端と出口端とを含む加圧ポンプと、
第１の端部と第２の端部とを含む巻き取り型混合管と、
前記巻き取り型混合管の前記第２の端部と接続されており、貫通孔と分散構造とを含む圧力解放分散器と、
を含む微細気泡液体生成装置であって、
前記液体導入管及び前記ガス供給ユニットと前記加圧ポンプの前記入口端とが接続され、
前記巻き取り型混合管の前記第１の端部と前記加圧ポンプの前記出口端とが接続され、
前記貫通孔が前記巻き取り型混合管と連通し、かつ前記分散構造が前記貫通孔に対応する、微細気泡液体生成装置。
【請求項２】
さらに、筐体を含み、前記液体導入管、前記ガス供給ユニット、前記加圧ポンプ及び前記巻き取り型混合管が前記筐体中に設置される、請求項１に記載の微細気泡液体生成装置。
【請求項３】
前記巻き取り型混合管にS字状配置または螺旋状配置が採用されている、請求項１に記載の微細気泡液体生成装置。
【請求項４】
前記巻き取り型混合管の長さが４メートル乃至８メートルである、請求項３に記載の微細気泡液体生成装置。
【請求項５】
さらに、T型ジョイントを含み、前記液体導入管、前記ガス供給ユニット及び前記加圧ポンプの前記入口端が、前記T型ジョイントによって互いに接続される、請求項１に記載の微細気泡液体生成装置。
【請求項６】
さらに、逆流防止バルブを含み、前記逆流防止バルブが前記ガスの流路中に設置される、請求項１に記載の微細気泡液体生成装置。
【請求項７】
さらに、水流制御バルブを含み、前記水流制御バルブが前記液体導入管の両端部の間に設置される、請求項１に記載の微細気泡液体生成装置。
【請求項８】
前記ガスがオゾンであり、前記液体が水道水または濾過水である、請求項１に記載の微細気泡液体生成装置。
【請求項９】
前記圧力解放分散器が管状構造であり、前記圧力解放分散器がダイヤフラムシート、第１の空間及び第２の空間を含み、前記ダイヤフラムシートが前記第１の空間及び前記第２の空間の間に設置され、前記貫通孔が前記ダイヤフラムシートに設置され、かつ前記貫通孔が前記第１の空間と前記第２の空間とを連通し、
前記第１の空間の管壁と前記巻き取り型混合管の前記第２の端部とが接続され、前記分散構造が前記第２の空間に設置されるルース材である、請求項１に記載の微細気泡液体生成装置。
【請求項１０】
前記圧力解放分散器の前記第１の空間の前記管壁が、第１のねじ山構造を含み、前記巻き取り型混合管の前記第２の端部が、第２のねじ山構造を含み、前記圧力解放分散器と前記巻き取り型混合管とが、前記第１のねじ山構造及び前記第２のねじ山構造によって接続される、請求項９に記載の微細気泡液体生成装置。
【請求項１１】
さらに、制御スイッチを含み、前記制御スイッチが前記筐体の外に設置される、請求項２に記載の微細気泡液体生成装置。
【請求項１２】
前記制御スイッチが、有線方式または無線方式で前記微細気泡液体生成装置のオンまたはオフを制御する、請求項１１に記載の微細気泡液体生成装置。
【請求項１３】
さらに、電磁弁を含み、前記電磁弁が前記液体導入管の両端部の間に設置され、かつ前記電磁弁と前記制御スイッチとが電気接続される、請求項１２に記載の微細気泡液体生成装置。
【考案の詳細な説明】
【技術分野】
【０００１】
本考案は、微細気泡液体生成装置に関するものであり、特に、体積の減少に有利な微細気泡液体生成装置に関するものである。
【背景技術】
【０００２】
微細気泡水は、物理的な原理によって大量のガス（例えば、空気）を水中に溶入させてガスと水との混合溶液を形成し、さらに、圧力解放を経て、水中に溶解したガスを放出させ、水中に微細気泡を形成してなるものであり、水中の気泡が濃度が高くてサイズが小さいほど、微細気泡水の品質がよくなることを示す。高品質な微細気泡水は、水中に微細気泡が多く含まれるので、その外観が牛乳のような乳白色をする。
【０００３】
微細気泡は、強いキャリアー能力及び接触効果を有するので、医療、衛生、食品加工、農業用水、漁業の養殖場などの多く分野に広く応用されている。例えば、微細気泡水は、普通の水分子が入られない組織、例えば、人体の毛穴、野菜・果物の表面にあるシワに入ることができるので、ディープクリーニング効果を提供し、肌のクリーニング、野菜・果物の洗浄、及び服に残る洗濯洗剤の除去に応用できる。特定のガスを選択して使用する際に、微細気泡水に他の効果をさらに与えることができ、例えば、オゾンが強酸化剤であり、オゾンと水との組み合わせによって生成された微細気泡水が、殺菌、消毒、及び汚染物質の分解に応用できる。
【０００４】
通常に用いられる微細気泡水を生成するための装置は、ガス溶解タイプと流体力学タイプの２種類に分かれる。ガス溶解タイプの微細気泡水生成装置は、高圧ガスを液体中に注入することにより、液体中に気泡が含まれることになる。しかしながら、生成プロセスにおいて、高圧ガスの圧力と貯蔵容器中の液気圧力とを確実に制御する必要があるので、装置の体積の減少に不利なものである。流体力学タイプの微細気泡水生成装置は、揚水還流の同時に空気を吸入することにより、循環水中に大量のガスを加え、あるいは、渦流式ポンプを使用することにより、速やかにガスを比較的小さな気泡とするものである。しかし、このようなタイプの微細気泡水生成装置は、通常、構成が複雑であり、操作の技術要求が高く、電力消費量が多く、組み立てのための空間が広い。言い換えれば、現在の微細気泡水生成装置は、体積が大きいという欠点があるので、家庭使用には不利なものである。
【考案の概要】
【考案が解決しようとする課題】
【０００５】
したがって、微細気泡水生成装置の体積（容積）を減少させる（縮小化する）とともに、微細気泡液体の品質を保つことができ、微細気泡水生成装置を家庭使用に有利なものとすることは、当業者の努力目標になっている。
【０００６】
本考案の目的は、上記問題を解決するために、微細気泡液体生成装置を提供することにある。
【課題を解決するための手段】
【０００７】
本考案の実施方式は、液体導入管と、ガス供給ユニットと、加圧ポンプと、巻き取り型混合管と、圧力解放分散器とを含む微細気泡液体生成装置を提供する。液体導入管は、液体を提供するためのものである。ガス供給ユニットは、ガスを提供するためのものである。加圧ポンプは、入口端と出口端とを含み、液体導入管及びガス供給ユニットと加圧ポンプの入口端とが接続される。巻き取り型混合管は、第１の端部と第２の端部とを含み、巻き取り型混合管の第１の端部と加圧ポンプの出口端とが接続される。圧力解放分散器と巻き取り型混合管の第２の端部とが接続されており、圧力解放分散器は、貫通孔と分散構造とを含み、貫通孔が巻き取り型混合管と連通し、かつ分散構造が貫通孔に対応する。
【０００８】
前記微細気泡液体生成装置は、さらに、筐体を含んでもよく、液体導入管と、ガス供給ユニットと、加圧ポンプと、巻き取り型混合管とが筐体中に設置されてもよい。
【０００９】
前記微細気泡液体生成装置は、巻き取り型混合管にS字状配置または螺旋状配置が採用されてもよい。巻き取り型混合管の長さは、４メートル乃至８メートルであってもよい。
【００１０】
前記微細気泡液体生成装置は、さらに、T型ジョイントを含んでもよく、液体導入管と、ガス供給ユニットと、加圧ポンプの入口端とがT型ジョイントによって互いに接続される。
【００１１】
前記微細気泡液体生成装置は、さらに、逆流防止バルブを含んでもよく、逆流防止バルブがガスの流路中に設置される。
【００１２】
前記微細気泡液体生成装置は、さらに、水流制御バルブを含んでもよく、水流制御バルブが液体導入管の両端部の間に設置される。
【００１３】
前記微細気泡液体生成装置は、ガスがオゾンであってもよく、液体が水道水または濾過水であってもよい。
【００１４】
前記微細気泡液体生成装置は、圧力解放分散器が管状構造であってもよく、圧力解放分散器が、ダイヤフラムシートと第１の空間と第２の空間とを含み、ダイヤフラムシートが第１の空間と第２の空間との間に設置され、貫通孔がダイヤフラムシートに設置され、かつ貫通孔が第１の空間及び第２の空間を連通し、第１の空間の管壁と巻き取り型混合管の第２の端部とが接続され、分散構造が第２の空間に設置されるルース材である。第１の空間の管壁は、第１のねじ山構造を含んでもよく、巻き取り型混合管の第２の端部は、第２のねじ山構造を含んでもよく、圧力解放分散器と巻き取り型混合管とは、第１のねじ山構造及び第２のねじ山構造によって接続される。
【００１５】
前記微細気泡液体生成装置は、さらに、制御スイッチを含んでもよく、制御スイッチが筐体の外に設置される。制御スイッチは、有線方式または無線方式で、微細気泡液体生成装置のオンまたはオフを制御することができる。微細気泡液体生成装置は、さらに、電磁弁を含んでもよく、電磁弁が液体導入管の両端部の間に設置され、かつ電磁弁と制御スイッチとが電気接続される。
【００１６】
本考案の微細気泡液体生成装置は、巻き取り型混合管を使用することによって、体積を減少させるとともに、十分な距離を提供し、液体中にガスをより完全に溶解させることができ、その上で、微細気泡液体中の気泡濃度を向上させることができる。本考案の微細気泡液体生成装置は、圧力解放分散器を使用することによって、減圧放出のプロセスにおいて、液体中に溶解したガスを微細気泡になるように分散させることができ、さらに、微細気泡液体中の気泡のサイズを小さくすることができる。したがって、本考案の微細気泡液体生成装置は、体積の減少に有利であるとともに、微細気泡液体の品質を保つことができ、家庭使用に有利なものである。本考案の上記特徴と有利点とをより明確で分かりやすくなるために、以下では、実施例を挙げ、添付されている図面を合わせて詳しく説明する。
【図面の簡単な説明】
【００１７】
【図１】本考案の実施方式による微細気泡液体生成装置の概略図である。
【図２】図１における微細気泡液体生成装置の分解概略図である。
【図３】図１における巻き取り型混合管の外観概略図である。
【図４】本考案の他の実施方式による巻き取り型混合管の外観概略図である。
【図５】図１における圧力解放分散器の外観概略図である。
【図６】図５における圧力解放分散器の切断線A-Aに沿った断面概略図である。
【図７】本考案のまた１つの実施方式による微細気泡液体生成装置の概略図である。
【考案を実施するための形態】
【００１８】
本考案の趣旨を容易に説明するために、具体的な実施例によって表現する。実施例における各要素の比例、サイズ及びその変形量は、容易に説明するための比例及びサイズによって描画されたものであり、実際サイズのものではなく、本考案を制限するものでもない。
【００１９】
図１及び図２を参照し、図１は本考案の実施方式の微細気泡液体生成装置１００の概略図であり、図２は図１における微細気泡液体生成装置１００の分解概略図である。微細気泡液体生成装置１００は、液体導入管１１０と、ガス供給ユニット１２０と、加圧ポンプ１３０と、巻き取り型混合管１４０と、圧力解放分散器１５０とを含み、ガス供給ユニット１２０がガス輸送管１２１によって加圧ポンプ１３０と接続される。微細気泡液体生成装置１００は、液体排出管１６０を選択的に含んでもよく、液体排出管１６０と圧力解放分散器１５０とが接続される。図１においては、液体導入管１１０と、ガス供給ユニット１２０と、ガス輸送管１２１と、加圧ポンプ１３０とが巻き取り型混合管１４０の上又は横に設置されており、図２においては、巻き取り型混合管１４０の流路配置が明確に表れるように、上に設置されているガス供給ユニット１２０、ガス輸送管１２１及び加圧ポンプ１３０と、下又は裏に設置されている巻き取り型混合管１４０、圧力解放分散器１５０及び液体排出管１６０とを分けて描画している。
【００２０】
液体導入管１１０は、液体(図に示さず)を提供するためのものである。液体導入管１１０は、第１の端部１１１と第２の端部１１２とを含み、第１の端部１１１と液体源(図に示さず)とが接続され、液体源が前記液体を提供し、第２の端部１１２と加圧ポンプ１３０の入口端１３１とが接続される。したがって、液体源の液体は、液体導入管１１０を通じて微細気泡液体生成装置１００に入る。ガス供給ユニット１２０は、ガス(図に示さず)を提供するためのものであり、ガス供給ユニット１２０が、ガス輸送管１２１によって加圧ポンプ１３０の入口端１３１と接続される。加圧ポンプ１３０は、入口端１３１と、出口端１３２と、内部空間１３３とを含み、内部空間１３３が入口端１３１及び出口端１３２と連通する。
【００２１】
巻き取り型混合管１４０は、第１の端部１４１と第２の端部１４２とを含み、巻き取り型混合管１４０の第１の端部１４１と加圧ポンプ１３０の出口端１３２とが接続される。巻き取り型混合管１４０とは、巻き取られた管路を言う。これにより、十分な管路長さを提供する場合には、巻き取り型混合管１４０が占める空間を減少させることができる。巻き取り型混合管１４０の長さは、４メートル乃至８メートルであってもよく、これにより、ガスと液体との交互作用が生じるための長さを提供することができ、液体にガスをより完全に溶解させることができ、その上で、微細気泡液体中の気泡濃度を向上することができる。図３を合わせて参照し、それは図１における巻き取り型混合管１４０の外観概略図である。図３においては、巻き取り型混合管１４０がS字状配置を採用しており、管路に対して往復曲げを行うことにより、十分な長さを提供し、かつ体積を減少させることができる。なお、図１及び図２は、単純化された図面であり、隣接する２つの管路の部分は、片辺の管壁のみが描画されている。図４を合わせて参照し、それは本考案の他の実施方式による巻き取り型混合管３４０の外観概略図であり、巻き取り型混合管３４０が、第１の端部３４１と第２の端部３４２とを含み、本実施方式において、巻き取り型混合管３４０が螺旋状配置を採用している。図３及び図４から分かるように、本考案の巻き取り型混合管(１４０、３４０)は、実際の要求によって異なる配置方式を採用してもよい。
【００２２】
圧力解放分散器１５０は、第１の端部１５１と第２の端部１５２とを含み、第１の端部１５１と巻き取り型混合管１４０の第２の端部１４２とが接続され、第２の端部１５２と液体排出管１６０とが接続され、それにより、微細気泡液体が液体排出管１６０を通じて外へ流動する。他の実施方式においては、液体排出管１６０が省略されてもよく、言い換えれば、微細気泡液体が圧力解放分散器１５０の第２の端部１５２から直接に外へ流動し得る。図５及び図６を合わせて参照し、図５は、図１における圧力解放分散器１５０の外観概略図である。図６は、図５における圧力解放分散器１５０の切断線A-Aに沿った断面概略図である。圧力解放分散器１５０は管状構造であり、圧力解放分散器１５０は、ダイヤフラムシート１５３と、第１の空間１５５と、第２の空間１５６とを含み、ダイヤフラムシート１５３が第１の空間１５５と第２の空間１５６との間に設置され、貫通孔１５４がダイヤフラムシート１５３に設置され、かつ貫通孔１５４が第１の空間１５５と第２の空間１５６とを連通し、第１の空間１５５の管壁(符号なし)と巻き取り型混合管１４０の第２の端部１４２とが接続され、言い換えれば、貫通孔１５４が第１の空間１５５によって巻き取り型混合管１４０と連通する。分散構造１５７がルース材であってもよく、かつ第２の空間１５６に設置され、ルース材がスチールウールであってもよいが、これに限定されるものではない。なお、分散構造１５７は貫通孔１５４に対応し、これにより、貫通孔１５４を通じて流れ出した流体が分散構造１５７を経過し、流体に分散構造１５７を作用させることができる。本実施方式においては、第１の空間１５５の管壁が、第１のねじ山構造１５８を含んでもよく、巻き取り型混合管１４０の第２の端部１４２が、第１のねじ山構造１５８と対応する第２のねじ山構造(図に示さず)を含んでもよく、圧力解放分散器１５０と巻き取り型混合管１４０とが、第１のねじ山構造１５８及び第２のねじ山構造によって接続されることができ、これにより、微細気泡液体生成装置１００の組み立て及び部品の取り替えに有利なものとなる。同様に、第２の空間１５６の管壁は、第３のねじ山構造１５９を含んでもよく、圧力解放分散器１５０と接続した液体排出管１６０の端部は、第３のねじ山構造１５９と対応する第４のねじ山構造(図に示さず)を含んでもよく、圧力解放分散器１５０と液体排出管１６０とは、第３のねじ山構造１５９及び第４のねじ山構造によって接続されることができる。
【００２３】
図１において、細い矢印は液体の流動方向を示し、白抜き矢印はガスの流動方向を示し、太い矢印は気液混合溶液及び増圧気液混合溶液の流動方向を示す。図１から分かるように、液体源から提供した液体が、液体導入管１１０から微細気泡液体生成装置１００に流入した後、ガス供給ユニット１２０から提供したガスと混合して気液混合溶液(図に示さず)を形成し、気液混合溶液が加圧ポンプ１３０の入口端１３１を通じて内部空間１３３に流入した後、出口端１３２から流出し、増圧気液混合溶液(図に示さず)を形成し、増圧気液混合溶液が巻き取り型混合管１４０中に流動する時に、増圧気液混合溶液における液体とガスとの交互作用反応が連続して行われ、液体中にガスをより完全に溶解させ、その後、増圧気液混合溶液が圧力解放分散器１５０の貫通孔１５４を通じ、減圧により、液体に溶解したガスを液体中から放出させ、分散構造を通じて微小気泡に分散させ、微細気泡液体(図に示さず)を形成する。
【００２４】
本考案においては、液体が水であってもよく、例えば、水道水または濾過水であり、ガスがオゾンであってもよく、この場合に、ガス供給ユニット１２０がオゾン生成装置であるが、本考案はこれに限定されるものではなく、微細気泡液体生成装置１００から生成された微細気泡液体の用途によって、液体及びガスの種類を選択することができる。例えば、ガスがオゾンであり、液体が水である場合には、微細気泡液体が野菜・果物の洗浄または器具の消毒に適用できる。また、例えば、ガスが二酸化炭素であり、液体が濾過水である場合には、微細気泡液体が飲用されてもよい。また、例えば、ガスが純酸素であり、液体が濾過水である場合には、微細気泡液体が飲用のための高酸素水になり得る。
【００２５】
図７を合わせて参照し、それは本考案のもう１つの実施方式の微細気泡液体生成装置２００の概略図である。微細気泡液体生成装置２００は、液体導入管２１０と、水流制御バルブ２１３と、電磁弁２１４と、ガス供給ユニット２２０と、ガス輸送管２２１と、逆流防止バルブ２２２と、T型ジョイント２８０と、加圧ポンプ２３０と、巻き取り型混合管２４０と、圧力解放分散器２５０と、液体排出管２６０と、筐体２７０と、制御スイッチ２９０とを含み、その中に、液体導入管２１０、水流制御バルブ２１３、電磁弁２１４、ガス供給ユニット２２０、ガス輸送管２２１、逆流防止バルブ２２２、T型ジョイント２８０及び加圧ポンプ２３０が、巻き取り型混合管２４０の上に設置される。
【００２６】
筐体２７０は、底板２７１と蓋体２７２とを含み、底板２７１及び蓋体２７２が、分解できる構造及び要素によって接続され、例えば、ねじ及びねじナットによって底板２７１と蓋体２７２とを係止接続することができる。蓋体２７２は、収容スペース２７３を含み、蓋体２７２が底板２７１を覆い、これにより、液体導入管２１０、水流制御バルブ２１３、電磁弁２１４、ガス供給ユニット２２０、ガス輸送管２２１、逆流防止バルブ２２２、T型ジョイント２８０、加圧ポンプ２３０、巻き取り型混合管２４０、圧力解放分散器２５０、液体排出管２６０などの要素を筐体２７０の収容スペース２７３中に設置させることができ、孔２７４及び孔２７５が蓋体２７２に設置され、それぞれ液体導入管２１０及び液体排出管２６０に対応する。これにより、微細気泡液体生成装置２００を台所の調理台の上または調理台の水槽の下の空間に取り付けることに対しては有利である。
【００２７】
液体導入管２１０は、液体(図に示さず)を微細気泡液体生成装置２００に流入させるためのものである。液体導入管２１０は、第１の端部２１１と第２の端部２１２とを含み、第１の端部２１１と液体源(図に示さず)とが接続され、液体源が前記液体を提供し、第２の端部２１２とT型ジョイント２８０とが接続され、水流制御バルブ２１３及び電磁弁２１４が液体導入管２１０の第１の端部２１１と第２の端部２１２との間に設置される。水流制御バルブ２１３は、加圧ポンプ２３０に流入する液体の流量を制御するためのものである。
【００２８】
ガス供給ユニット２２０は、ガス(図に示さず)を提供するためのものであり、ガス供給ユニット２２０がガス輸送管２２１によってT型ジョイント２８０と接続され、逆流防止バルブ２２２がガスの流路中に設置される。本実施方式においては、逆流防止バルブ２２２がガス輸送管２２１の管路中に設置され、これにより、気液混合溶液がガス供給ユニット２２０に逆流することによってガス供給ユニット２２０の寿命を短縮することを防ぐ。
【００２９】
加圧ポンプ２３０は、入口端２３１と、出口端２３２と、内部空間２３３とを含み、内部空間２３３が入口端２３１及び出口端２３２と連通する。加圧ポンプ２３０の入口端２３１とT型ジョイント２８０とが接続される。言い換えれば、液体導入管２１０、ガス供給ユニット２２０及び加圧ポンプ２３０の入口端２３１が、T型ジョイント２８０によって互いに接続される。
【００３０】
巻き取り型混合管２４０の第１の端部２４１と加圧ポンプ２３０の出口端２３２とが接続される。巻き取り型混合管２４０の第２の端部２４２と圧力解放分散器２５０の第１の端部２５１とが接続され、圧力解放分散器２５０の第２の端部２５２と液体排出管２６０とが接続される。
【００３１】
制御スイッチ２９０は、筐体２７０の外に設置される。制御スイッチ２９０は、有線方式または無線方式で、微細気泡液体生成装置２００のオンまたはオフを制御することができる。制御スイッチ２９０が、時間制御スイッチであってもよいが、これに限定されるものではない。例えば、制御スイッチ２９０によって微細気泡液体生成装置２００の運転時間を制御することができる。制御スイッチ２９０は、表示パネル２９１と複数のボタン２９２とを含んでもよい。表示パネル２９１が時間の表示に使用されてもよく、ボタン２９２が、電源ボタンまたは時間の調整のための操作ボタンであってもよい。制御スイッチ２９０は、電磁弁２１４、加圧ポンプ２３０及びガス供給ユニット２２０と電気接続されてもよく、制御スイッチ２９０のボタン２９２を押すことにより、電磁弁２１４、加圧ポンプ２３０及びガス供給ユニット２２０を同時にオンにすることができ、微細気泡液体生成装置２００に微細気泡液体の製造を開始させ、制御スイッチ２９０のボタン２９２を押すことにより、電磁弁２１４、加圧ポンプ２３０及びガス供給ユニット２２０を同時にオフにすることもでき、微細気泡液体生成装置２００に微細気泡液体の製造を停止させる。
【００３２】
巻き取り型混合管２４０、圧力解放分散器２５０、微細気泡液体生成装置２００の他の詳しい内容に関しては、矛盾が生じなければ、巻き取り型混合管１４０、圧力解放分散器１５０、微細気泡液体生成装置１００と同じであってもよいので、ここでは改めて述べない。
【００３３】
本考案においては、「接続」とは、直接接続または間接接続を指し、例えば、図１に示すように、液体導入管が、加圧ポンプの入口端と直接接続されてもよいが、図７に示すように、液体導入管が、T型ジョイント及び他の接続管によって加圧ポンプの入口端と間接接続されてもよい。
【００３４】
上記をまとめると、本考案に係る微細気泡液体生成装置は、巻き取り型混合管を使用することにより、体積を減少させるとともに、十分な距離を提供し、液体中にガスをより完全に溶解させ、その上で、微細気泡液体中の気泡濃度を向上させており、圧力解放分散器を使用することにより、減圧放出のプロセスにおいて、液体中に溶解したガスを微小気泡に分散させることができ、その上で、微細気泡液体中の気泡のサイズを小さくすることができる。したがって，本考案の微細気泡液体生成装置は、体積の減少に有利であるとともに、微細気泡液体の品質を保つことができ、家庭使用に有利なものである。
【００３５】
本考案の微細気泡液体生成装置は、さらに、各組成要素の配分・配置を改善すること、例えば、液体導入管、ガス供給ユニット及び加圧ポンプがT型ジョイントによって接続され、あるいは、巻き取り型混合管と圧力解放分散器とが第１のねじ山及び第２のねじ山によって接続されることにより、微細気泡液体生成装置１００の組み立て及び部品の取り替えに有利なものとなり、大量生産に有利であるので一般家庭まで普及し得る。さらに、補修に有利でもあり、一般家庭の長期使用に適したものとなる。
【符号の説明】
【００３６】
１００、２００  微細気泡液体生成装置
１１０、２１０  液体導入管
１１１、２１１  第１の端部
１１２、２１２  第２の端部
１２０、２２０  ガス供給ユニット
１２１、２２１  ガス輸送管
１３０、２３０  加圧ポンプ
１３１、２３１  入口端
１３２、２３２  出口端
１３３、２３３  内部空間
１４０、２４０、３４０：巻き取り型混合管
１４１、２４１、３４１  第１の端部
１４２、２４２、３４２  第２の端部
１５０、２５０  圧力解放分散器
１５１、２５１  第１の端部
１５２、２５２  第２の端部
１５３  ダイヤフラムシート
１５４  貫通孔              
１５５  第１の空間
１５６  第２の空間
１５７  分散構造
１５８  第１のねじ山構造
１５９  第３のねじ山構造
１６０、２６０  液体排出管
２１３  水流制御バルブ
２１４  電磁弁
２２２  逆流防止バルブ
２７０  筐体
２７１  底板
２７２  蓋体
２７３  収容スペース
２７４、２７５  孔
２８０  T型ジョイント
２９０  制御スイッチ
２９１  表示パネル
２９２  ボタン
【図１】
0003224447.tif 000003
【図２】
0003224447.tif 000004
【図３】
0003224447.tif 000005
【図４】
0003224447.tif 000006
【図５】
0003224447.tif 000007
【図６】
0003224447.tif 000008
【図７】
0003224447.tif 000009